(57)【要約】【目的】パチンコ店に於いて、パチンコ台を所定の傾き角度に取付ける装置に関し、特に、多数のパチンコ台を、同じ傾き角度に統一して正確に取付けでき、且つ簡単に調整できるようにする。【構成】パチンコ台の取付け枠に装着し、この取付け枠の上部横桟の上下方向に操作部を備えた傾き調整装置と、パチンコ台の傾き測定表示装置とで構成し、傾き調整装置を操作して、予め所定の傾き角度に設定した傾き測定表示装置の信号によって、パチンコ台を所定の傾き角度に取付ける。【選択図】「図９」
2005312852.tif 000002
【特許請求の範囲】
【請求項１】
パチンコ島の固定枠と、この固定枠の内側に設けられてパチンコ台を装着する取付け枠において、取付け枠の上部が前後方向に傾き移動できるようにして、双方の枠の上部個所に設けた傾き調整装置と、パチンコ台もしくはパチンコ台の取付け枠に検知部をあててパチンコ台の傾きを測定表示する傾き測定表示装置とよりなり、傾き測定表示装置でパチンコ台の傾きを確認しながら、傾き調整装置を操作して、パチンコ台を所定の傾きに設定することを特徴とするパチンコ台の取付け装置。
【請求項２】
パチンコ島の固定枠と、この固定枠の内側に設けられてパチンコ台を装着する取付け枠において、取付け枠の上部が前後方向に傾き移動できるようにして、双方の枠の上部個所に設けた傾き調整装置と、パチンコ台の必要とする傾きを設定する設定部と、この設定部は設定した傾きに一致すると光や音の信号を発する表示手段とを備え、パチンコ台もしくはパチンコ台の取付け枠に検知部をあてて傾き調整装置を操作し、パチンコ台の傾きが設定した傾きに到ると表示手段で知らせる傾き測定表示装置とよりなり、傾き調整装置を操作して、パチンコ台を設定した傾きに設置することを特徴とするパチンコ台の取付け装置。
【請求項３】
傾き調整装置は、パチンコ台の取付け枠の上部の横桟に止着する可動部材と、パチンコ島の固定枠の上部の横桟で可動部材との対応個所に止着する固定部材と、可動部材と固定部材を連結して可動部材を水平移動するカム部材と、カム部材の操作部よりなり、可動部材は水平方向の一端を取付け枠への取付け部とし、他端に設けた立設壁に勾配状にカム溝を形成してなり、固定部材は水平個所を固定枠への取付け部とし、垂下壁をスライド止着部とした¬型の取付け部材と、上下水平部をカム部材の回動支持部とし、垂下壁は上記のスライド止着部に上下方向スライド自在に止着するコ型の支持部材よりなり、カム部材は支持部材の回動支持部に回動自在に立設したカムボルトと、このカムボルトに螺着し水平向きに設けたカムを可動部材のカム溝に係合するカムナットよりなり、カムボルトは回動支持部より突出した端部の上下一方もしくは両方を操作部とし、この操作部を回してパチンコ台の傾きを調整するようにした請求項１、請求項２に記載のパチンコ台の取付け装置。
【請求項４】
傾き調整装置は、この操作部がパチンコ台の取付け枠の上部の横桟と、パチンコ島の固定枠の上部の横桟の上下方向に臨むようにして、パチンコ台の取付け枠の上部の横桟と、パチンコ島の固定枠の上部の横桟を連結して設け、パチンコ島の幕板を開いて上方の操作部を回動操作するが、もしくはパチンコ台を開扉して、下方の操作部を回動操作するようにした請求項３に記載のパチンコ台の取付け装置。
【請求項５】
傾き調整装置の操作部には、回動ハンドルを取り外し自在に設けて、回動操作をするようにした請求項３、請求項４に記載のパチンコ台の取付け装置。
【請求項６】
傾き測定表示装置は、検知部に対向して弾発作用を有する押圧板を設けてなり、この検知部と押圧板とでパチンコ台の取付け枠を挟み、仮止め状態にて傾きを計測して表示するようにした請求項１、請求項２に記載のパチンコ台の取付け装置。
【請求項７】
傾き測定表示装置は、検知部をコ型とし、このコ型の先端検知部を、パチンコ台の盤面の釘を跨いで盤面に当接して傾きを計測して表示するようにした請求項１、請求項２に記載のパチンコ台の取付け装置。
【請求項８】
パチンコ島の固定枠と、この固定枠の内側に設けられてパチンコ台を装着する取付け枠において、取付け枠の上部が前後方向に傾き移動できるようにして、双方の枠の上部個所に設けた傾き調整装置であり、この傾き調整装置は、パチンコ台の取付け枠の上部の横桟に止着する可動部材と、パチンコ島の固定枠の上部の横桟で可動部材との対応個所に止着する固定部材と、可動部材と固定部材を連結して可動部材を水平移動するカム部材と、カム部材の操作部よりなり、可動部材は水平方向の一端を取付け枠への取付け部とし、他端に設けた立設壁に勾配状にカム溝を形成してなり、固定部材は水平個所を固定枠への取付け部とし、垂下壁をスライド止着部とした¬型の取付け部材と、上下水平部をカム部材の回動支持部とし、垂下壁は上記のスライド部に上下方向スライド自在に止着するコ型の支持部材よりなり、カム部材は支持部材の回動支持部に回動自在に立設したカムボルトと、このカムボルトに螺着し水平向きに設けたカムを可動部材のカム溝に係合するカムナットよりなり、カムボルトは回動支持部より突出した端部の上下一方もしくは両方を操作部とし、この操作部を回してパチンコ台の傾きを調整することを特徴とするパチンコ台の取付け装置。
【請求項９】
傾き調整装置は、この操作部がパチンコ台の取付け枠の上部の横桟と、パチンコ島の固定枠の上部の横桟の上下方向に臨むようにして、パチンコ台の取付け枠の上部の横桟と、パチンコ島の固定枠の上部の横桟を連結して設け、パチンコ島の幕板を開いて上方の操作部を回動操作するが、もしくはパチンコ台を開扉して、下方の操作部を回動操作するようにした請求項８に記載のパチンコ台の取付け装置。
【請求項１０】
傾き調整装置の操作部には、回動ハンドルを取り外し自在に設けて、回動操作をするようにした請求項８、請求項９に記載のパチンコ台の取り付け装置。
【請求項１１】
傾き調整装置は、カム溝と係合するカムに臨む端面に位置決めマークを設け、この位置決めマークの移動域でカム溝の縁部には傾き目盛り板を設けた請求項８に記載のパチンコ台の取り付け装置。
【請求項１２】
傾き目盛り板は、磁石板として、カム溝の縁部に沿って移動できるようにした請求項１１に記載のパチンコ台の取り付け装置。
【発明の詳細な説明】
【発明の詳細な説明】
【技術分野】
【０００１】  この発明はパチンコ台をパチンコ島（パチンコ台が並んで設置される構造物）に所望の傾きで取付ける装置に関し、特に、多数のパチンコ台を、同じ傾きに統一して正確に取付けでき、且つ簡単に調整できる技術に関する。
【背景技術】
【０００２】
【０００３】パチンコ台は外周に設けられた取付け枠を介して、パチンコ島の固定枠内に所定の傾きで取付けられ、通常はパチンコ台の正面より見てパチンコ台の上部が後方に傾いた状態で取付けられる。【０００４】パチンコ台の取付けの傾きを調整できる従来の技術としては、特開平１０−８０５６３号があり、これはパチンコ台の取付け枠の後側にラックピニオン機構（水平に連続したギヤと円形ギヤの噛合による移動機構）を設けて、このピニオン（円形ギヤ）をパチンコ台の左右横方向より操作して所定の角度間隔づつ回してパチンコ台の傾きを調整するようにしている。
【発明が解決しようとする課題】
【０００５】
【０００６】所定の傾きで取り付いているパチンコ台は、この上部の玉の収容ケースの重みや、パチンコ台の開閉等の外部よりの衝撃等で取付け角度が変化する。また、パチンコ島も比較的軟弱な構造であったり、外部よりの衝撃等で島自体の傾きが変化して、同じ種類のパチンコ台でも傾きにバラツキがでて玉の入賞の確立が変わってしまう問題があった。また、パチンコ台の入れ替え（機種の変更）の度に、必要とする傾き角度に取付ける作業も熟練を必要とした。
【０００７】従来の、パチンコ台の傾きを調整できる取付け手段では、前述の構成におけるピニオン（円形ギヤ）を一定の間隔角度回して、パチンコ台の傾き角度を調整するものであるが、パチンコ台は上記のように傾き角度が次第に変化しているため、傾き角度の変化してしまった位置から、さらに一定の間隔角度に傾きを動かしたとしても、設定時より変化してしまった傾き位置を基準とするので、必要とする傾き角度に調整したことにはならない。
【０００８】従来の調整手段で、パチンコ台の最初の傾きを設定するには、先ず、パチンコ島に設置されたパチンコ台の前面に水準器をあてて傾き角度を測定して、次にパチンコ台を開いてピニオンを一定角度回して、またパチンコ台を閉じて測定するという作業を交互に少しづつ繰り返しながら行わなければ調整ができないので、１００台単位で設置されているパチンコ台をこのような手段で調整することは困難であった。
【０００９】また、ピニオン（円形ギヤ）はパチンコ台の左右横方向にあってこれを回転操作するが、調整装置はパチンコ台の取付け枠と島の固定枠の上桟部に取付けられているので、この上桟部が操作の邪魔になり、且、ハンドル等を取りつけて振り回すことができないので、操作がしにくく、また力が必要であった。
【００１０】前述のラックピニオン機構では、ラックとピニオン間は設計上遊びかないと動かないため、パチンコ台が強く押されると噛み合わせ個所がガタつき、結果としてこのままの状態ではパチンコ台がガタつくので、傾きの設定後に、別にラックの動きを固定するストッパーを設けて、調整の都度にストッパーの解除と固定を行う必要があり手間が掛った。
【００１１】パチンコ玉の動きは台の傾きによって変わるが、この傾き角度を測定する基準としては、台全体の傾きより、パチンコ台の盤面（釘の植えてある面）の傾きを測定して調整したほうが、調整精度が高い。この盤面の傾き角度を測定するには、パチンコ台が島に取り付いた状態でないとできない。従来技術では調整操作は、調整のたびにパチンコ台を開閉して傾きを調整していたので、パチンコ台を閉じたままの状態で調整することはできなかった。
【００１２】角度計等で傾き角度を確認しながらパチンコ台の傾き角度を調整する場合、パチンコ台を前方へ開いてパチンコ台の取付け枠の傾き角度を測定して、結果としてパチンコ台の傾き角度を設定することができる。
【００１３】パチンコ台の取付け枠の傾き角度を測定する場合、開いたパチンコ台が邪魔になったり、取付け枠自体の測定個所の幅が狭かったりして角度計等を安定させて測定することが難しい。また角度計等を片方の手で支持して測定しながら、もう一方の手で傾き調整装置の操作を行うことになるので、傾き角度の確認と正確な測定が困難である。
【００１４】パチンコ台の傾き角度の調整作業を、毎回、角度計によって測定せずに一定の期間の経過後に測定して、この時に最初の傾きに補正することとすれば、通常の調整では作業能率の上で、傾き調整装置の操作だけで行えるようにする必要もある。
【課題を解決するための手段】
【００１５】
【００１６】パチンコ台の傾きを調整するにあたり、事前に設定した必要な傾きに到ると音や光の信号で知らせる傾き測定表示装置を提供して、パチンコ台もしくはパチンコ台の取付け枠の傾きの測定が、いちいち確認しなくても傾き調整装置を操作できるようにした。
【００１７】傾き調整装置は、パチンコ島の固定枠とパチンコ台の取付け枠をカム機構で連結して、垂直方向のカムの移動でパチンコ台の傾き調整が行えるようにし、この操作部をパチンコ台の取付け枠の上部横桟の上下方向に設けて、上部横桟の上下方向より操作できるようにした。操作部には、回動ハンドルを取り外し自在に装着して、これを水平方向に回して操作する。
【００１８】傾き測定表示装置の検知部の対向個所に弾機的作用を有する押圧板を設けて、測定時にパチンコ台の取付け枠を弾機作用で把持して測定できるようにした。
【００１９】パチンコ台の傾きの調整作業において、傾きを測定する作業を調整の度に行わずに一定の期間を経たらすることにして、日常の調整では、傾き調整装置の操作だけで行う場合、カムの移動域に目盛りを設けて、傾き角度を調整できるようにした。この場合、角度計等で測定する都度に目盛りの位置が狂ってくるので、目盛り自体を簡単に原点に移動できるようにした。
【発明を実施するための最良の形態】
【００２０】
【００２１】この発明のパチンコ台の取付け装置は、傾き調整装置１と傾き測定表示装置２を一緒に利用する場合と、傾き調整装置１のみで利用する場合がある。【００２２】パチンコ島３の内部裏側（背面図）を示した図１において、４は固定枠であり、パチンコ台５の取付け枠６を配設する上で、上部横桟７、下部横桟８、縦部材９、間柱１０で構成されている。取付け枠６は、この固定枠４の枠内に設けられている。【００２３】取付け枠６内には、パチンコ台５が取付けられるが、パチンコ台５は図４で示したように開扉支持金具１１（上下に２個対向して設けられている）（上側は図示せず）の枢支ピン１２でパチンコ台５が開扉自在に支持され装着されている。【００２４】傾き調整装置１は図１で示したように、固定枠４の上部横桟７と取付け枠６の上部横桟１３に左右間隔的に２個設けられ、取付け枠６の上部を前後方向に傾き移動させてパチンコ台５の上部を同様に傾き移動できるように設けられている。【００２５】１４は取付け枠６の下部横桟１５を固定枠４に固定する固定金具を示している。固定金具１４は図２および図３で示したように、Ｚ形状で下側水平部１６を穴１７を介して木ネジ１８で固定枠４の下部横桟８に取付け、垂設部１９に取付け枠６の下部横桟１５を突き当てた状態で、上側水平部２０のネジ穴２１に押しネジ２２をネジ込んで図３で示したように、押しネジ２２の先端で取付け枠６を固定する。この取付け枠６の固定は一般的には金具等を設けないで釘打ちで行っているが、この実施例では、パチンコ台５の交換による取付け枠６の取り外し時に、垂設部１９に突き当てることで、奥域の位置決めができる特徴があり交換時の作業も簡単にできる，【００２６】傾き調整装置１は図５、図６で示したように、可動部材２３と、固定部材２４と、カム部材２５と、このカム部材２５の操作部２６とで構成している。【００２７】可動部材２３は、水平方向の一端部を止着穴２７を有する取付け部２８とし、他端部に形成した凹型の立設壁２９、２９に勾配状にカム溝３０、３０を設け、この底部に長穴３１を形成している。【００２８】固定部材２４は、¬型の取付け部材３２と、コ型の支持部材３３とで構成している。取付け部材３２は、この水平部を止着穴３４を備えた取付け部３５とし、垂下壁はスライド長穴３６を形成したスライド止着部３７としている。
支持部材３３は、上下の水平部をカム部材２５の回動支持部３８、３８とし、垂下壁には、取付け部２８が挿通する挿通穴３９とネジ穴４０を備えている。【００２９】カム部材２５は、カムシャフト４１とカム本体４２とで構成し、カムシャフト４１は、胴部の上下に空転個所４３、４３を備えたネジ４４と、下端には径大なストッパー部４５を形成し、上方の空転個所４３より連続した個所に抜け防止溝４６を形成し、夫々の上下先端には角形の操作部２６、２６を形成している。【００３０】カム本体４２は中心の上下方向にネジ４７を貫通形成し、左右両側には、カム４８、４８を水平に突出している。【００３１】傾き調整装置１を組立てるには、可動部材２３の取付け部２８を支持部材３３の挿通穴３９に刺し通して、この立設壁２９、２９を回動支持部３８、３８内に入れる。可動部材２３は、回動支持部３８、３８の両側に曲折したガイド部４９、４９の案内で水平方向に移動自在としている。【００３２】次いで、カムシャフト４１を下側の回動支持部３８の支持穴５０と長穴３１に挿入し、カム本体４２のカム４８、４８がカム溝３０、３０内に係合した状態で、カムシャフト４１を回転させてカム本体４２を螺着して、上方の回動支持部３８の支持穴５０に突出させ、この突出して臨む空転個所４３に抜け防止ナット５１を嵌める。【００３３】抜け防止ナット５１のネジ穴５２に押しネジ５３をネジ込み、このネジ先端が抜け防止溝４６に嵌り、カムシャフト４１はストッパー部４５とで脱落することがなく回転できる。【００３４】５４は回動ハンドルを示し、基端部５５に設けた角穴５６に、上下何れかの操作部２６、２６を着脱自在に装着して、回転自在に設けたツマミ５７をつかんで゛回転することで、カム４８がカム溝３０を水平方向に押しながら上下に移動し、結果として図８で示したように可動部材２３を同様に水平方向に移動させる。【００３５】取付け部材３２は、スライド止着部３７を支持部材３３の垂下壁にあてて、スライド長穴３６よりネジ５８をネジ穴４０に止着して、支持部材３３に取付ける。この際、可動部材２３の取付け部２８は挿通窓５９に臨み、ネジ５８は、ネジの形成が無く、且つスライド止着部３７の板厚より僅か長くした径大部６０がスライド長穴３６内に位置して止着されるので、支持部材３３は上下方向にスライドして移動できる。【００３６】傾き調整装置１の取付け手段を図７、図８によって示すと、固定枠４の上部横桟７の上側に、取り付け部材３２の取付け部３５を皿ボルト６１で固定するが、予め上部横桟７の止着穴３４との対応個所に穿った皿モミ付き穴６２に皿ボルト６１を差し込んで固定する。【００３７】次いで、上部横桟７と、この上部横桟７の下側に間隔的に臨む可動部材２３の取付け部２８の間に、取付け枠６の上部横桟１３を入れて、取付け部２８を押し上げて、且つ取付け枠６を必要とする傾きにした状態で皿ビス６３で止着穴２７を介して可動部材２３を取付ける。取付け枠６の取り外し（パチンコ台５の入れ替え）の時は、皿ビス６３を外すことで簡単に交換できる。【００３８】上記の取付けによって、回動ハンドル５４を回すと、取付け枠６は下部の取付け個所を支点として上部が前後方向（パチンコ島３に向かって）に移動して、傾きを可変できる。【００３９】取付け枠６を必要とする傾きに設定して、パチンコ台５を取付け、結果としてパチンコ台５は同様の傾きに取付けられる。【００４０】取付け枠６の傾きの計測は、最初にパチンコ島３に取付ける時と、取付けた後の微調整や、もしくは傾きの変更にあたって行われるが、この場合に使用する傾き測定表示装置２を図１４、図１５によって説明する。【００４１】傾き測定表示装置２のケース６４は、内部に角度測定器としての回路基板を収容し、側面６５にセンサー取付け用窓６６を設け、上面６７に傾き度合いを表示する表示手段６８と、表示手段６８を選択して設定する設定スイッチ６９とよりなる設定部７０と、測定開始スイッチ７１を設けている。７２は電源スイッチを示している。【００４２】７３は角度センサーを示し、逆Ｌ型の取付け金具７４にネジ７５で止着されている。この取付け金具７４は、コ型の検知部７６の背面にネジ７７で止着し、角度センサー７３及び取付け金具７４を、センサー取付け用窓６６内に入れて検知部７６をネジ７８でネジ穴７８ａに止着して、ケース６４に装着する。【００４３】検知部７６の先端検知部８６は、図１７で示したように角度センサー７３の測定基準線７９と平行になる。【００４４】表示手段６８は、図１５で示したようにＬＥＤ８０と、夫々のＬＥＤ８０に対応する個所に印した２分５厘から６分迄（この範囲は特定しない）の傾き表示８１と、ブザー等の発生回路（図示せず）よりなり、ＬＥＤ８０は設定スイッチ６９を押すたびに順番に点灯して必要とする傾き表示８１を選択する。例えば３分５厘の設定を説明すると、図８の（イ）の幅が３分５厘（約１１．５ミリ）であり、この場合の傾き角度は約０．７５°となる。【００４５】８２は０°の基準合わせの表示を示し、８３、８３は表示手段６８とは別の色及び音で警告するアラーム表示を示し、表示手段６８の範囲内の傾きより外れた場合に点灯したりアラーム音を出して知らせる。【００４６】上記の操作手順を図２８のフローチャートによって説明すると、（Ａ）電源スイッＯＮ、（Ｂ）（Ｃ）希望角度（傾き）の設定、（Ｄ）測定開始スイッチＯＮ、（Ｅ）判定（Ｆ）希望角度（傾き）に到った信号出力（Ｇ）終了を示している。【００４７】この回路のブロック図を、図２７で示している。【００４８】図９、図１０、図１１は、傾き測定表示装置２を用いた場合の傾きの設定の仕方を示している。パチンコ台５を、取付け枠６より前方に開いて、傾き測定表示装置２の、ケース６４の一端部に設けた検知部７６を、パチンコ台５の取付け枠６における、パチンコ島３内部側の左右の端面８４、８５のどちらか一方に当てて、この端面８４、８５と対応する側の傾き調整装置１の下方の操作部２６に取付けた回動ハンドル５４を回して、予め設定した傾きに到ると、設定個所のＬＥＤ８０が点灯してブザー音で知らせてくれるので、回動ハンドル５４の操作を停止して、傾きの設定が終了する。【００４９】反対側の傾き調整装置１も同様にして同じ傾きに設定する。次いで、パチンコ台５を閉じると、パチンコ台５も同様な傾きで設置されることになる。【００５０】検知部７６は板状として、先端検知部８６をケース６４の両側面８７、８��よりはみ出した個所のケース対向面としているので、取付け枠６の左右の端面８４、８５にあてて使用することができる。【００５１】図１２は上記の傾き表示装置２を使用して、取付け枠６における、パチンコ島３の正面側の端面９０に検知部７６をあてて傾きを調整する例を示している。この場合の先端検知部８６は、開いたパチンコ台５の枢着側においてはパチンコ台５の裏側と取付け枠６の間隙に差し込んで使用することができる。【００５２】図１３、図１６、図１７はパチンコ台５の前面のガラス枠９１を開いて、この盤面９２の傾きを基準として調整する場合を示している。【００５３】この場合は、パチンコ台５が取付け枠６に閉じた状態で調整するので、パチンコ島３の幕板９３（点検用扉）を開いて上方の操作部２６に回動ハンドル５４を取りつけて同様にして操作する。傾き表示装置２の検知部７６はクギ９４を跨いで先端検知部８６を盤面９２にあてて調整を行うが、盤面９２と角度センサー７２の測定基準線７９は平行となっている。【００５４】上記の場合、盤面９２の傾きを設定できるので、取付け枠６の傾きを調整する場合に比較して調整精度が高い。【００５５】図１８、図１９、図２０、図２１は傾き表示装置２を、取付け枠６に仮止め状態にして調整を行う例を示している。検知部７６の対向個所にケース６４と一体とした弾発支持部９５に押しバネ９６と押し部材９７を設けて、取付け枠６に図１９のように嵌めると、押し部材９７が押しバネ９６を押圧して適宜な強さで仮止めされる。押し部材９７は、図２１で示したように先端の押し圧部９８が窓９９に出没自在に設けられている。【００５６】図２２は、傾き表示装置２をデジタル表示の角度計１００とした実施例を示している。角度計１００は、ケース１０１の左右の側面１０２、１０３を測定面として測定物にあてて角度を測定するが、この側面１０３にコ型の検知部１０４をネジ１０５で止着して前述の傾き表示装置２と同様にして使用する。【００５７】１０６は電源スイッチを示し、このＯＮで角度表示部１０７に角度が表示される。１０８は角度と傾きの換算表であり、角度表示部１０７の近傍でケース１０１の正面に設けている。【００５８】図２４は、換算表１０８を示し、例えば測定角度が０．８度の場合のパチンコ台５の傾きは、３分５厘として換算する。換算表１０８は取付け枠６が関東枠の場合を示し、関西枠の場合は僅かに数値が異なる。【００５９】図２３は、上記の傾き表示装置２を取付け枠６に仮止め状態にして利用する傾き表示装置２の実施例を示し、この場合、取付け枠６の左右を計測するにあたり角度表示部１０７がケース１０１の片側のみにあるので、図１９のように共通して利用できない。この場合、ケース１０１はこのままの状態で検知部７６の位置を左右逆位置とした２台を必要とするが、角度表示部１０７の表示は同じ角度のマイナス表示となる。【００６０】図２５、図２６は、傾き調整装置１の他の実施例を示している。可動部材２３に垂設部１１０を備えた曲折部１１１を形成して、この垂設部１１０は取付け枠６の上部横桟１３の後端面１１２に対向して臨み、さらに垂設部１１０はネジ穴１１３にコイルバネ１１４を介在した状態で位置決めネジ１１５をネジ込み、��の位置決めネジ１１５の先端に取付け枠６の後端面１１２を当てる。位置決めネジ１１５はコイルバネ１１４の弾発作用によってゆるむことなく、ネジ先端を、このままの位置に保持する。【００６１】上記によって、取付け枠６の取り外しの際（パチンコ台５の入れ替えの際）には、取付け枠６の後端面１１２を位置決めネジ１１５の先端にあてた状態で、傾き調整装置１に取付ければ、パチンコ台５を入れ替え前の傾きと同じ傾きに設置できる。【００６２】図２９、図３０、図３１は、パチンコ台５の傾きを変えるにあたり、その度に傾き表示装置２を利用せずに、一定の期間は簡単に調整できる手段を示している。カム４８のカム溝３０に臨む端面１１６に、位置決めマーク１１７を設け、カム溝３０の縁部近傍にこの縁部に沿って目盛り板１１８を設ける。【００６３】目盛り板１１８は、磁石等の吸着自在の材質として立設壁２９の面にスライド自在に設ける。図は磁石板とした例を示し、ガイド突起１１９の案内でカム溝３０に沿ってスライド移動できる。目盛り１２０は１目盛りを前述の傾き度合い（例えば５厘間隔など）とし、カム４８が１目盛り分移動するとパチンコ台５の傾きが５厘移動するように設定している。【００６４】目盛り１２０のうち太線目盛り１２１は、最初の設定位置を示し、必要とする傾きに設置された状態で、目盛り板１１８を移動して位置決めマーク１１７に太線目盛り１２１を合わせ、以降の傾きの変更は、これを基準として、傾き調整装置１を操作して行う。パチンコ島３自体の設置角度が変化したり、その他の影響でパチンコ台５の傾きが変化してしまった時に、傾き表示装置２によって基準とした傾きに調整し直すと、カム４８の位置決めマーク１１７の位置がズレることとなる。この場合、目盛り板１１８を移動して太線目盛り１２１を再度合わせることで、基準とした傾きに設定しなおすことができ、再び、この目盛り１２０をめどにして傾き表示装置２を利用せずとも傾きを変えることができる。
【発明の効果】
【００６５】  この発明は以上の作用および構成であるので下記の効果を有する。
【００６６】（１）パチンコ台の傾き角度を簡単、且つ正確に調整できるので、同じ種類のパチンコ台をいつも同じ傾きに統一して設定でき、玉の入賞の確立のバラツキを少なくできる。
【００６７】（２）パチンコ台の入れ替え（機種の変更）作業が簡単に素人でもできる。
【００６８】（３）パチンコ台を取付けるにあたり、角度計等で角度を測りながら行う場合は、角度計等の表示の確認とパチンコ台の傾き調整を交互に少しづつ繰り返すような、困難且つ、時間の掛かる作業が必要であるが、この発明装置では、必要な傾き角度に到ると光や音の信号で知らせてくれるので、パチンコ台の取付けが簡単に早く行える。これは特に、パチンコ台の取付け枠の傾き角度を測定して行う場合、前方へ開いたパチンコ台の内側で、狭くて暗い場所での作業になるので特に作業能率上の効果がある。
【００６９】（４）傾き調整装置は、操作を止めた位置で、カム機構の摩擦抵抗で固定されるので、特にストッパーを必要とせず、コスト減および作業時間の短縮が計られる。
【００７０】（５）傾き調整装置の操作が、パチンコ台の取付け枠の上部横桟の上下何れかの方向よりできるので操作し易く、特に、上方より操作する場合はパチンコ台を開く必要がなく、且つパチンコ台の盤面の傾きを直接測定できるので精度の高い調整が可能である。
【００７１】（６）上記の操作が回動ハンドルで少ない力で行え、回動ハンドルは取り外しできるので、普段邪魔になることはない。
【００７２】（７）傾き測定表示装置はパチンコ台に仮に止めることができるので、片手で押さえながら傾き調整装置を操作するような、無理なことが無く、手で押さえて測定表示するのに比較して、いつも同じ状態で測定表示できる。
【００７３】（８）傾き測定表示装置の検知部をコ型としたので、釘を跨いで盤面の角度を正確に測定表示できる。
【００７４】（９）傾き調整装置のカムの移動域に目盛りを設けることで、傾きの測定をせずとも、傾き角度を所定の間隔づつ変えることができ、また、この目盛りをスライド移動自在な目盛り板に印したので、傾き測定表示装置の測定で、いつでも原点に移動して設定のやり直しができる。
【００７５】（１０）目盛り板を磁石板としたので、上記の移動且つ取付けが簡単に行える。
【図面の簡単な説明】
【００７６】
【図１】この発明のパチンコ台の傾き調整装置が取り付いた状態を示すパチンコ島の背面図
【図２】パチンコ台の取付け枠の下部横桟個所の取付け状態を示す斜視図
【図３】図２のＡ−Ａ線に沿う断面図
【図４】図１のパチンコ台の取付け枠を示す斜視図
【図５】傾き調整装置の斜視図
【図６】傾き調整装置の分解斜視図
【図７】傾き調整装置がパチンコ島に取り付いた状態を示す断面図
【図８】図７の移動状態を示す断面図
【図９】傾き測定表示装置の測定状態を示すパチンコ島の断面図
【図１０】傾き測定表示装置で、パチンコ台の取付け枠の測定状態を示す斜視図
【図１１】傾き測定表示装置の斜視図
【図１２】傾き測定表示装置で、パチンコ台の取付け枠の測定状態を示す斜視図
【図１３】傾き測定表示装置で、パチンコ台の盤面の測定状態を示すパチンコ島の断面図
【図１４】傾き測定表示装置の分解斜視図
【図１５】傾き測定表示装置の設定部を示す平面図
【図１６】傾き測定表示装置で、パチンコ台の盤面の測定状態を示す斜視図
【図１７】傾き測定表示装置で、パチンコ台の盤面の測定状態を示す断面図
【図１８】傾き測定表示装置の他の実施例を示す斜視図
【図１９】図１８の取付け枠の測定状態を示す斜視図
【図２０】図１８のＣ−Ｃ線に沿う断面図
【図２１】図１９のＤ−Ｄ線に沿う断面図
【図２２】傾き測定表示装置の他の実施例を示す斜視図
【図２３】傾き測定調整装置の他の実施例を示す斜視図
【図２４】換算表
【図２５】傾き調整装置と取付け枠の、他の取付け状態を示す断面図
【図２６】図２５の要部拡大断面図
【図２７】傾き測定表示装置の回路のブロック図
【図２８】傾き測定表示装置のフローチャート図
【図２９】傾き調整装置の他の実施例図
【図３０】目盛り板を位置決めマークに合わせる状態を示す要部拡大図
【図３１】図３０のＥ−Ｅ線に沿う断面図
【００７７】
【符号の説明】
１・・・傾き調整装置
２・・・傾き測定表示装置
３・・・パチンコ島
４・・・固定枠
５・・・パチンコ台
６・・・取付け枠
７・・・上部横桟
１３・・・上部横桟
２３・・・可動部材
２４・・・固定部材
２５・・・カム部材
２６・・・操作部
２８・・・取付け部
２９・・・立設壁
３０・・・カム溝
３２・・・取付け部材
３３・・・支持部材
３５・・・取付け部
３７・・・スライド止着部
３８・・・回動支持部
４１・・・カムシャフト
４２・・・カム本体
４８・・・カム
５４・・・回動ハンドル
６４・・・ケース
６８・・・表示手段
７０・・・設定部
７３・・・角度センサー
７６・・・検知部
８１・・・傾き表示
８６・・・先端検知部
９２・・・盤面
９３・・・幕板
９５・・・弾発支持部
９６・・・押しバネ
９７・・・押し部材
１００・・・角度計
１０８・・・換算表
１１６・・・端面
１１７・・・位置決めマーク
１１８・・・目盛り板
１１９・・・ガイド突起
１２０・・・目盛り
【図１】
2005312852.tif 000003
【図２】
2005312852.tif 000004
【図３】
2005312852.tif 000005
【図４】
2005312852.tif 000006
【図５】
2005312852.tif 000007
【図６】
2005312852.tif 000008
【図７】
2005312852.tif 000009
【図８】
2005312852.tif 000010
【図９】
2005312852.tif 000011
【図１０】
2005312852.tif 000012
【図１１】
2005312852.tif 000013
【図１２】
2005312852.tif 000014
【図１３】
2005312852.tif 000015
【図１４】
2005312852.tif 000016
【図１５】
2005312852.tif 000017
【図１６】
2005312852.tif 000018
【図１７】
2005312852.tif 000019
【図１８】
2005312852.tif 000020
【図１９】
2005312852.tif 000021
【図２０】
2005312852.tif 000022
【図２１】
2005312852.tif 000023
【図２２】
2005312852.tif 000024
【図２３】
2005312852.tif 000025
【図２４】
2005312852.tif 000026
【図２５】
2005312852.tif 000027
【図２６】
2005312852.tif 000028
【図２７】
2005312852.tif 000029
【図２８】
2005312852.tif 000030
【図２９】
2005312852.tif 000031
【図３０】
2005312852.tif 000032
【図３１】
2005312852.tif 000033